(57)【要約】【課題】より簡易にテレビ受像機との一体化が容易な光ディスク記録装置を提供する。【解決手段】ＤＶＤ装置一体型テレビ１０は、テレビ部１２とＤＶＤ部１４とに大別される。テレビ部１２のチューナ１８は、受信したテレビ信号を表示部２２及びＤＶＤ部１４に出力する。ＤＶＤ部１４は、出力されたテレビ信号をＤＶＤに記録する。また、ＤＶＤ部１４のマイコンとテレビ部１２のマイコン１６はシリアルバス３０で接続されており、相互通信が可能となっている。そして、必要に応じて、ＤＶＤ部１４のマイコンは、テレビ部１２のマイコン１６に対してチューナ１８の受信チャンネル切替を指示する。テレビ部１２は、当該指示に応じてチューナ１８の受信チャンネル切替を実行する。【選択図】図１
2006134527.tif 000002
【特許請求の範囲】
【請求項１】
映像を表示する映像表示装置に接続され、光ディスクにデータの記録再生を行う光ディスク装置であって、
映像表示装置との間で、制御信号の相互通信を行う通信手段と、
映像表示装置から映像信号の入力を受け付ける入力インターフェースと、
入力された映像信号を光ディスクに記録する記録手段と、
光ディスク装置全体を制御する制御手段と、
を有し、
制御手段は、通信手段を介して映像表示装置に対して、少なくとも、入力インターフェースに入力される映像信号の種類切替を指示する制御信号を出力することを特徴とする光ディスク装置。
【請求項２】
請求項１に記載の光ディスク装置であって、
映像表示装置は、テレビ放送を受信および復調するチューナを備え、当該チューナで受信したテレビ信号を光ディスク装置に出力するテレビ受像装置であって、
制御手段は、入力される映像信号の種類切替の制御信号として、チューナでの受信チャンネル切替の制御信号を出力することを特徴とする光ディスク装置。
【請求項３】
請求項２に記載の光ディスク装置であって、
制御手段は、さらに、映像表示装置に対して、チューナのオン／オフ切り替えを指示する制御信号を出力することを特徴とする光ディスク装置。
【請求項４】
請求項１から３のいずれか１項に記載の光ディスク装置であって、さらに、
光ディスクに記録されたデータを再生する再生手段と、
再生されたデータを映像表示装置に出力する出力インターフェースと、
を備え、
制御手段は、さらに、映像表示装置に対して、当該映像表示装置の表示部に入力される信号の種類を、出力インターフェースから出力された再生信号または他の映像信号に切り替えることを指示する制御信号を出力することを特徴とする光ディスク装置。
【請求項５】
テレビ受像装置と、当該テレビ受像装置に接続された光ディスク装置と、を備えた光ディスク装置一体型映像表示装置であって、
テレビ受像装置は、
テレビ放送を受信および復調するとともに、受信したテレビ放送に係る映像信号を光ディスク装置に出力するチューナと、
光ディスク装置との間で、制御信号の双方向通信を行うテレビ側通信手段と、
テレビ受像装置全体を制御するとともに、テレビ側通信手段を介して受信された光ディスク装置からの制御信号に基づいてテレビ受像装置を制御するテレビ側制御手段と、
を備え、
光ディスク装置は、
チューナから入力された映像信号を光ディスクに記録する記録手段と、
テレビ受像装置との間で、制御信号の双方向通信を行う光ディスク側通信手段と、
光ディスク側通信手段を介して受信した制御信号に基づいて光ディスク装置全体を制御するとともに、テレビ受像装置に対して少なくともチューナの受信チャンネルの切り替えを指示する制御信号を出力する光ディスク側制御手段と、
を備えることを特徴とする光ディスク装置一体型映像表示装置。
【発明の詳細な説明】
【技術分野】
【０００１】
本発明は、映像を表示する映像表示装置に接続され、光ディスクにデータの記録再生を行う光ディスク装置、および、当該光ディスク装置とテレビ受像装置とを一体化した光ディスク装置一体型映像表示装置に関する。
【背景技術】
【０００２】
従来から、磁気テープに映像を記録、再生するＶＴＲを内蔵したテレビ受像機、いわゆる「テレビデオ」が広く知られている。このＶＴＲ一体型テレビ受像機の多くは、チューナ内蔵型ＶＴＲに表示装置を組み合わせた構成となっており、受信チャンネルの制御などはＶＴＲ側で行われていた。
【０００３】
ところで、近年、映像記録媒体として磁気テープの代わりにＤＶＤ等の光ディスクが広く普及している。それに伴い、ＶＴＲに代えてＤＶＤ再生装置やＤＶＤ記録装置なども広く普及し始めている。
【０００４】
そこで、市場の一部では、このＤＶＤ再生装置やＤＶＤ記録装置とテレビ受像機とを一体化したＤＶＤ装置一体型テレビ受像機が提案されている。例えば、特許文献１には、ＤＶＤ再生装置とテレビ受像機とを一体化した映像出力機器が開示されている。この映像出力機器は、チューナを備えた通常のテレビ受像機と、ＤＶＤの再生が可能なＤＶＤプレーヤと、をＩ２Ｃバスなどの制御バスで接続して構成されている。ユーザがリモコンを操作することにより指示した操作指示は、テレビ受像機側で受信される。そして、テレビ受像機が受信した操作指示は、制御バスを介してＤＶＤ再生装置に入力され、ＤＶＤ再生装置は操作指示に応じて各種動作を実行する。
【０００５】
しかし、上記映像出力機器では、ＤＶＤの再生しかできず、ＤＶＤへの映像記録はできない。したがって、上記映像出力機器は、従来のＶＴＲ一体型テレビ受像機の代替品として用いることができない。そこで、現在、市場で流通しているチューナ内蔵型ＤＶＤ記録再生装置をテレビに組み込むことが考えられる。この場合、ＤＶＤでの映像記録、映像再生の両方ができ得るため、ＶＴＲ一体型テレビ受像機の代替品として十分用いることができる。
【０００６】
【特許文献１】特開２００３−３２５０８号公報
【発明の開示】
【発明が解決しようとする課題】
【０００７】
しかし、現在、市場に流通しているチューナ内蔵型ＤＶＤ記録再生装置は多機能である故に高価である。かかるＤＶＤ記録再生装置をテレビ受像機と組み合わせた場合、ＤＶＤ装置一体型テレビ受像機が高価なものとなる。通常、テレビデオのように映像記録再生装置とテレビ受像機とを一体化した製品は、比較的低価格帯を想定していることが多く、高価になることは望ましくない。また、多機能なチューナ内蔵型ＤＶＤ記録再生装置とテレビ受像機とを一体化する場合、テレビ受像機の設計変更等も多くなる、という問題もある。
【０００８】
そこで、本発明は、より簡易にテレビ受像機との一体化が容易な光ディスク記録装置、および、より簡易に製造可能な光ディスク装置一体型映像表示装置を提供することを目的とする。
【課題を解決するための手段】
【０００９】
本発明の光ディスク装置は、映像を表示する映像表示装置に接続され、光ディスクにデータの記録再生を行う光ディスク装置であって、映像表示装置との間で、制御信号の相互通信を行う通信手段と、映像表示装置から映像信号の入力を受け付ける入力インターフェースと、入力された映像信号を光ディスクに記録する記録手段と、光ディスク装置全体を制御する制御手段と、を有し、制御手段は、通信手段を介して映像表示装置に対して、少なくとも、入力インターフェースに入力される映像信号の種類切替を指示する制御信号を出力することを特徴とする。
【００１０】
好適な態様では、映像表示装置は、テレビ放送を受信および復調するチューナを備え、該チューナで受信したテレビ信号を光ディスク装置に出力するテレビ受像装置であって、制御手段は、入力される映像信号の種類切替の制御信号として、チューナでの受信チャンネル切替の制御信号を出力する。制御手段は、さらに、映像表示装置に対して、チューナのオン／オフ切り替えを指示する制御信号を出力することが望ましい。
【００１１】
別の好適な態様では、さらに、光ディスクに記録されたデータを再生する再生手段と、再生されたデータを映像表示装置に出力する出力インターフェースと、を備え、制御手段は、さらに、映像表示装置に対して、当該映像表示装置の表示部に入力される信号の種類を、出力インターフェースから出力された再生信号または他の映像信号に切り替えることを指示する制御信号を出力する。
【００１２】
他の本発明である光ディスク装置一体型映像表示装置は、テレビ受像装置と、当該テレビ受像装置に接続された光ディスク装置と、を備えた光ディスク装置一体型映像表示装置であって、テレビ受像装置は、テレビ放送を受信および復調するとともに、受信したテレビ放送に係る映像信号を光ディスク装置に出力するチューナと、光ディスク装置との間で、制御信号の双方向通信を行うテレビ側通信手段と、テレビ受像装置全体を制御するとともに、テレビ側通信手段を介して受信された光ディスク装置からの制御信号に基づいてテレビ受像装置を制御するテレビ側制御手段と、を備え、光ディスク装置は、チューナから入力された映像信号を光ディスクに記録する記録手段と、テレビ受像装置との間で、制御信号の双方向通信を行う光ディスク側通信手段と、光ディスク側通信手段を介して受信した制御信号に基づいて光ディスク装置全体を制御するとともに、テレビ受像装置に対して少なくともチューナの受信チャンネルの切り替えを指示する制御信号を出力する光ディスク側制御手段と、を備えることを特徴とする。
【００１３】
ここで、光ディスクとは、ＤＶＤやＨＤ−ＤＶＤ，Ｂｌｕ−ｒａｙなど、ディスクへのレーザ光照射でデータの記録、再生が可能な記録媒体全般を指す。また、光ディスク装置は、光ディスクへのデータの記録、再生が可能な機器全般を指す。さらに、チューナは、テレビ放送を受信および復調できる機器全般を指し、アナログテレビ信号を受信するテレビチューナ、デジタルテレビ信号を受信するデジタルチューナ、ＢＳデジタル放送を受信するＢＳチューナ、ＣＳ放送を受信するＣＳチューナなどを含む。また、映像信号は、ビジュアル信号およびオーディオ信号の両方を含む信号を指す。
【発明の効果】
【００１４】
本発明によれば、映像信号の取得そのものは、映像表示装置（テレビ受像装置）で行うため、光ディスク装置自体は、安価に製造できる。また、映像表示装置（テレビ受像装置）自体の設計変更も低減できる。その結果、光ディスク装置一体型映像表示装置を簡易に実現できる。
【発明を実施するための最良の形態】
【００１５】
以下、本発明の実施形態について図面を参照して説明する。図１は、本発明の実施形態であるＤＶＤ装置一体型テレビ１０の概略構成を示すブロック図である。このＤＶＤ装置一体型テレビ１０は、テレビ部１２とＤＶＤ部１４に大別される。テレビ部１２とＤＶＤ部１４は、バス接続されており、相互通信が可能となっている。このテレビ部１２およびＤＶＤ部１４は、同一筐体内に設けられており、単一の映像表示機器として取り扱うことができる。
【００１６】
テレビ部１２は、通常のテレビ受像機と同様の構成となっている。すなわち、テレビ部１２は、テレビ信号を受信するテレビチューナ１８と、画像表示および音声出力を行う表示部２２、表示部２２への入力信号を切り替えるセレクタ２０、リモートコントローラ２６（以下、「リモコン２６」という）からの操作指示を受け付ける赤外線センサ２４、各部への電力供給を行う電源回路２８、および、これらを制御するテレビ用マイコン１６を備えている。
【００１７】
テレビチューナ１８は、図示しない受信アンテナに接続されており、当該受信アンテナで受信したテレビ信号から選択されているチャンネルで放送されている番組のテレビ信号（映像信号および音声信号）を受信、復調する。選択されるチャンネルは、テレビ用マイコン１６からの指示に応じて切り替えられる。テレビチューナ１８で受信されたテレビ信号は、セレクタ２０およびＤＶＤ部１４に出力される。ここで、本実施形態では、テレビチューナとして、アナログテレビ信号を受信するチューナを想定しているが、当然、デジタルテレビ信号を受信するデジタルチューナであってもよい。また、ＢＳデジタル放送を受信するＢＳチューナや、ＣＳ放送を受信するＣＳチューナを備えていてもよい。
【００１８】
セレクタ２０は、表示部２２への入力を切り替えるもので、テレビ用マイコン１６によって制御される。セレクタ２０は、テレビ用マイコン１６の指示に応じて、表示部２２への入力を、テレビチューナ１８から出力されたテレビ信号、または、ＤＶＤ部１４からの出力信号、のいずれかに切り替える。表示部２２は、画像を表示するためのモニタ、および、音声を出力するためのスピーカで構成されており、セレクタ２０で選択・出力された信号を表示出力する。
【００１９】
赤外線センサ２４は、リモコン２６からの操作指示を受け付け、当該指示内容をテレビ用マイコン１６に出力する。ここで、リモコン２６から入力される操作指示は、テレビ部１２の操作に関する操作指示のほか、ＤＶＤ部の操作に関する操作指示も含まれる。すなわち、ユーザは、単一のリモコン２６で、テレビ部１２およびＤＶＤ部１４の両方を操作できるようになっている。
【００２０】
テレビ部１２の各部への電力供給は、電源回路２８によりなされる（ただし、図１では、供給線の図示略）。電源回路２８は、テレビ用マイコン１６の指示に応じて、その電力供給状態を変化させる。電力供給状態としては、休止状態、一部稼働状態、稼働状態などがある。休止状態は、テレビ用マイコン１６および赤外線センサ２４にのみ電力供給を行い、テレビチューナ１８や表示部２２へは電力を供給しない状態である。一部稼働状態は、テレビ用マイコン１６と赤外線センサ２４とテレビチューナ１８へ電力供給を行い、表示部２２およびセレクタ２０には電力を供給しない状態である。これは、主に、表示部２２をオフにした状態で、ＤＶＤ部１４でテレビ録画を行う場合に選択される状態である。稼働状態は、テレビ部の全てのデバイスに電力が供給されている状態である。
【００２１】
テレビ用マイコン１６は、テレビ部１２全体を制御するマイコンであり、テレビ部１２の各部へ制御信号を出力する。出力される制御信号としては、テレビチューナ１８のチャンネル切替信号、電力供給状態の切替信号、表示部への入力の切替信号などがある。これらの制御信号は、赤外線センサ２４で受信された操作指示に基づいて出力される。
【００２２】
また、テレビ用マイコン１６は、ＤＶＤ部１４とシリアルバス、具体的には、ＵＡＲＴ３０（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を介して接続されており、ＤＶＤ部１４との相互通信が可能となっている。ここで、ＵＡＲＴ３０とは、ＲＳ２３２Ｃとも呼ばれ、シリアル通信に用いられる通信回路であり、現在、市場で流通しているほとんどのマイコンにはＵＡＲＴ３０のインターフェースが搭載されている。つまり、ＵＡＲＴ３０を用いれば、テレビ部１２の構成を通常のテレビ受像機から殆ど変更することなく、ＤＶＤ部１４と接続できる。ただし、ＤＶＤ部１４との相互通信が可能であれば、ＵＡＲＴに限らず、他の接続線を用いて接続してもよい。
【００２３】
テレビ用マイコン１６は、このＵＡＲＴ３０を通じて、ＤＶＤ部１４へ操作指示の出力、あるいは、ＤＶＤ部１４からの操作指示の入力を受け付ける。既述したように、ＤＶＤ部１４を操作するための操作指示もテレビ部１２に設けられた赤外線センサ２４を介してテレビ用マイコン１６で受信される。テレビ用マイコン１６は、このＤＶＤ部１４を操作するための操作指示をＵＡＲＴ３０を介してＤＶＤ部１４に出力する。また、逆にＤＶＤ部１４からテレビ部１２に対して操作指示が出力されることがある。例えば、予約録画を行う場合、ＤＶＤ部１４からテレビ部１２に対して、テレビチューナ１８のチャンネル切替や、テレビチューナ１８のＯＮ／ＯＦＦ切替が指示される。また、ＤＶＤの再生の際は、ＤＶＤ部１４からテレビ部１２に対して、セレクタ２０の切替（表示部２２への入力信号切替）が指示される。テレビ用マイコン１６は、このような操作指示が入力されれば、当該操作指示に従ってテレビ部１２の制御を実行する。ここで送受信される操作指示は、コマンドによって通知されるため、テレビ用マイコン１６は、必要に応じて送信する操作指示をコマンド化したり、受信したコマンドを解釈したりする。
【００２４】
以上の説明から明らかなように、テレビ部１２は、テレビ用マイコン１６での制御形態やテレビチューナ１８で抽出したテレビ信号の出力先が若干異なるものの、基本的には従来のテレビ受像機とほぼ同様の構成となっている。また、テレビ用マイコン１６での制御についても、基本的には、ＵＡＲＴ３０で送受信されるコマンドに対応する制御を追加するだけでよく、大幅な変更はない。つまり、本実施形態においてテレビ部１２は、従来のテレビ受像機の構成をそのまま流用できることが分かる。その結果、より簡易に、かつ、より低コストでＤＶＤ部１４と接続されたテレビ部１２を構成できる。
【００２５】
次に、ＤＶＤ部１４について図２を用いて説明する。図２は、ＤＶＤ部１４のより詳細な構成を示すブロック図である。ＤＶＤ部１４は、ＤＶＤへのデータ記録、および、ＤＶＤに記録されたデータの再生を行う。
【００２６】
ＤＶＤへのデータ書き込み、および、読み込みは、ＤＶＤドライブ３４により行われる。ＤＶＤドライブ３４は、光ピックアップ等を備えた周知の光ディスクドライブの構成を用いることができる。このＤＶＤドライブ３４は、ＡＴＡＰＩインターフェースでＤＶＤ用マイコン３２に接続されている。記録すべきデータは、ＡＴＡＰＩ５８を介してＤＶＤ用マイコン３２から供給される。また、ＤＶＤから再生されたデータは、やはり、ＡＴＡＰＩ５８を介してＤＶＤ用マイコン３２に出力される。また、ＤＶＤドライブ３４には、メディア検出機能を兼用する図示しないアームよりなるローディング機構が存在する。ＤＶＤドライブ３４にメディアが挿入されると、内部のアームがメディアの周縁に接触して押し込まれ、当該アームに連動するマイクロスイッチがＯＮとなってローディング機構が動作するとともに、ＤＶＤドライブ３４内部のマイコンを通じてメディア挿入信号がＤＶＤ用マイコン３２に送信される。
【００２７】
また、ＤＶＤドライブ３４は、電源回路３６からの電力の供給を受けて動作するが、自らの動作状態に応じて、その電力供給状態を変更できるようになっている。これは、ＤＶＤドライブ３４内に設けられたコントローラ（図示せず）によって制御される。動作状態としては、ＤＶＤ用マイコン３２からの命令に従ってディスクアクセスを行っているアクティブ状態、アクセス動作を終了してピックアップ等のサーボをオンにしたままディスクを回転させ続けて新たな指示を待つアイドル状態、ディスク回転やピックアップのサーボ等を停止して内蔵マイコンだけを動作状態にしておくスタンバイ状態、ＤＶＤ用マイコン３２からの指示を受け付けるインターフェースマイコン（図示せず）を除く全ての機能を停止させるスリープ状態がある。ＤＶＤドライブ３４のコントローラは、これらの動作状態に応じて、電力供給箇所を切り替えている。このように動作状態に応じて電力供給箇所、換言すれば、電力供給量を切り替えることで、常に、最低限の電力でＤＶＤドライブ３４を動作させることができる。
【００２８】
ＤＶＤ用マイコン３２は、ＤＶＤ部１４全体を制御するマイコンであり、ＣＰＵ５２やＲＯＭ５４、ＲＡＭ５６などから構成される。このＤＶＤ用マイコン３２による制御は、基本的には、テレビ部１２から送信されたコマンドに従って行われる。すなわち、このＤＶＤ用マイコン３２は、ＵＡＲＴ３０を介してテレビ部１２のテレビ用マイコン１６と接続されており、テレビ用マイコン１６から操作指示がコマンドとして送信される。ＤＶＤ用マイコン３２のＣＰＵ５２は、送信されたコマンドを解釈し、当該コマンドに対応した各種制御、例えば、データの記録や再生などを実行する。また、逆に、ＤＶＤ用マイコン３２からテレビ用マイコン１６にコマンドを送信する場合もある。例えば、本実施形態のＤＶＤ部１４は、設定された時刻にテレビ録画を開始する予約録画が可能となっている。この予約録画を開始する際、ＤＶＤ用マイコン３２は、テレビ部１２に対して、テレビチューナ１８の電源オンや、テレビチューナ１８のチャンネル切替などの指示を出力する。また、ＤＶＤに記録されたデータを再生した場合は、テレビ部１２に対して表示部２２への入力切替の指示を出力し、表示部２２にＤＶＤ部１４からの出力信号が入力されるようにする。
【００２９】
既述したようにＤＶＤ部１４には、テレビ部１２のテレビチューナ１８からテレビ信号が入力される。このテレビ信号は、ＮＴＳＣアナログビデオ信号であるため、Ａ／Ｄコンバータ４４によりＡ／Ｄ変換された後、ビデオデコーダ４２によりＮＴＳＣデコード処理され、ＤＶＤ用マイコン３２のＲＡＭ５６に記憶、保持される。そして、このＲＡＭ５６に記録されたデジタル動画データは、ＣＰＵ５２にてＭＰＥＧエンコード処理される。さらに、ＤＶＤドライブ３４にＭＰＥＧファイルとして出力され、ＤＶＤに記録（テレビ録画）される。つまり、本実施形態では、テレビ部１２のテレビチューナ１８を利用して、テレビ信号を取得し、テレビ録画を行う。したがって、ＤＶＤ部１４に、テレビチューナを設ける必要がない。その結果、ＤＶＤ装置一体型テレビ１０を安価に構成することが可能となる。
【００３０】
また、ＤＶＤドライブ３４によりＤＶＤを再生したデータも、一時的にＲＡＭ５６に記憶される。その後、ＣＰＵ５２でＭＰＥＧデコード処理された後、ビデオエンコーダ４８でＮＴＳＣエンコード処理され、Ｄ／Ａコンバータ４６でＤ／Ａ変換されてテレビ部１２のセレクタ２０に出力される。後述するように、ＤＶＤ再生の際、セレクタ２０は、ＤＶＤ部１４からの出力信号を表示部２２に出力する。したがって、ＤＶＤ部１４から出力された再生信号がテレビ部１２の表示部２２に表示出力される。これによりユーザは、ＤＶＤ鑑賞ができる。
【００３１】
さらに、ＲＡＭ５６には、録画予約の設定内容も記録される。すなわち、既述したように本実施形態のＤＶＤ部１４は、設定された時刻、チャンネルのテレビ放送を録画（データ記録）できる録画予約機能を備えている。この録画予約のために設定された内容、録画開始時刻、録画終了時刻、録画チャンネル、などがＲＡＭ５６に記憶されている。録画予約の日時管理は、カレンダクロック３８によりなされる。録画予約が設定された場合、ＣＰＵ５２は、ＲＡＭ５６に当該予約内容を記憶させる。そして、カレンダクロック３８を参照して当該予約時刻になったことを認識すると、ＤＶＤへのデータ記録（テレビ録画）を開始する。
【００３２】
オンスクリーンディスプレイ（ＯＳＤ）コントローラ４０は、テレビ部１２のモニタに各種設定画面を表示させるためのプロセッサである。このＯＳＤコントローラ４０は、ＣＰＵ５２からの指示に応じて、各種設定画面、例えば、録画予約設定画面などを作成する。作成された設定画面は、Ｄ／Ａ変換された後、テレビ部１２のセレクタ２０に出力される。このように、ＤＶＤ部１４側に、設定画面作成機能を持たせることにより、テレビ部１２の構成を通常のテレビ受像機とほぼ同様にすることができる。したがって、テレビ受像機の構成を大きく変更することなく、簡易にＤＶＤ装置一体型テレビ１０を得ることができる。なお、当然ながら、設定画面をモニタに表示させるのではなく、ＤＶＤ部１４側に独立の表示デバイス、例えば、液晶画面などを設け、当該表示デバイスに設定画面を表示させるようにしてもよい。あるいは、テレビ部１２に、ＯＳＤコントローラを設け、これをＤＶＤ用マイコン３２がＵＡＲＴ３０を通じて制御することによって、テレビ部側で設定画面を作成、表示できるようにしてもよい。
【００３３】
次に、このＤＶＤ装置一体型テレビ１０でのデータの記録、再生の流れについて説明する。始めに、データの記録の一例として、予約録画を行う場合の流れについて図３、図４を用いて説明する。
【００３４】
予約録画を行う場合、まず、ユーザは、リモコンを操作し、録画予約の設定を行う。このとき、リモコンから送信される操作信号は、テレビ部１２で受信された後、コマンド化されＤＶＤ用マイコン３２に送信される（Ｔ１０，Ｒ１０）。ＤＶＤ用マイコン３２は、送信されたコマンドに対応した各種処理、例えば、予約設定画面の出力、などを行う。また、予約設定された内容、録画開始時刻や録画終了時刻、録画チャンネルなどをＲＡＭ５６に記録する（Ｒ１２）。また、録画予約の設定が終了すれば、ＤＶＤ用マイコン３２は、ＤＶＤドライブ３４のコントローラに対してスリープ状態に移行するように指示を出力する。
【００３５】
ＤＶＤ用マイコン３２のＣＰＵ５２は、ＲＡＭ５６に記録された予約設定内容およびカレンダクロック３８を参照し（Ｒ１４）、録画開始時刻の直前、例えば、録画開始時刻の１分前になれば、録画開始準備をはじめる。具体的には、ＤＶＤ用マイコン３２は、テレビ部１２に対してテレビチューナ１８の電源ＯＮを指示する（Ｒ１６）。この指示は、ＤＶＤ用マイコン３２からテレビ用マイコン１６にテレビチューナ１８の電源ＯＮに相当するコマンドを送信することによりなされる。テレビ用マイコン１６は、当該コマンドを受信すれば、電源回路２８を制御して、テレビチューナ１８の電源をＯＮにする（Ｔ１２）。
【００３６】
続いて、ＤＶＤ用マイコン３２は、予約内容に対応するチャンネルに切り替える（Ｒ１８）。既述したように、本実施形態のＤＶＤ部１４は、テレビ部１２のテレビチューナ１８を利用して録画すべきテレビ信号を取得する。したがって、ＤＶＤ用マイコン３２は、テレビ用マイコン１６を介して、テレビ部１２のテレビチューナ１８のチャンネル切替を指示する。テレビ部１２のテレビ用マイコン１６は、当該指示に基づいて、テレビチューナ１８のチャンネルを切り替える（Ｔ１４）。これにより、テレビチューナ１８から当該チャンネルで放送されているテレビ信号が出力される。このテレビ信号は、ＤＶＤ部１４へと出力される。
【００３７】
設定されたチャンネルのテレビ信号が出力されれば、ＤＶＤ用マイコン３２は、ＤＶＤドライブ３４を駆動し、当該テレビ放送をＤＶＤに録画する（Ｒ２０）。具体的には、ＤＶＤ部１４に入力されたテレビ信号は、Ａ／Ｄ変換された後、ビデオデコーダ４２でＮＴＳＣデコード処理されＲＡＭ５６に記憶される。ＤＶＤ用マイコン３２のＣＰＵ５２は、このＲＡＭ５６に記憶されたデジタル信号をＭＰＥＧエンコード処理した後、ＤＶＤドライブ３４に出力する。ＤＶＤドライブ３４は、当該デジタル信号をＤＶＤに記録していく。これにより、予約設定されたテレビ放送の録画がなされる。
【００３８】
録画終了時刻になれば（Ｒ２２）、ＣＰＵ５２は、ＤＶＤドライブ３４に対してデータの記録終了を指示し、録画を終了する（Ｒ２４）。また、この後、別の録画予約が設定されているか否かを判断し、設定されている場合は次回の録画予約ができるように、タイマーをセットする（Ｒ２８）。さらに、ＤＶＤ用マイコン３２は、テレビ部１２に対してコマンドを送信し、表示部２２の電源状態を問い合わせる（Ｒ３０）。問い合わせの結果、表示部２２の電源がＯＦＦである場合は、テレビ部１２に対してテレビチューナ１８の電源ＯＦＦを指示する（Ｒ３４）。テレビ部１２は、テレビチューナ１８の電源をＯＦＦにし、テレビ用マイコン１６にのみに電力供給された休止状態となる。また、ＤＶＤ部１４も、ＤＶＤドライブ３４をスリープ状態にし、休止状態にする。一方、表示部２２の電源がＯＮの場合は、テレビ部１２の状態はそのまま、すなわち、表示部２２もテレビチューナ１８も電源ＯＮの状態にしておく（Ｒ３６）。ＤＶＤ部１４は、ＤＶＤドライブ３４をスリープ状態にする。
【００３９】
次に、ＤＶＤを再生する場合の流れを図５を用いて説明する。ユーザがリモコン操作によりＤＶＤ再生を指示した場合、当該操作指示は、テレビ部１２のテレビ用マイコン１６で受信される。テレビ用マイコン１６は、当該操作指示をコマンド化し、ＤＶＤ部１４に送信する（Ｔ２０）。ＤＶＤ部１４のＤＶＤ用マイコン３２は、当該コマンドを理解し、ＤＶＤ再生指示を受け付ける（Ｒ４０）。
【００４０】
ＤＶＤ再生指示を受け付けたＤＶＤ用マイコン３２は、テレビ部１２に対して表示部２２への入力切替を指示する（Ｒ４２）。当該指示を受けたテレビ用マイコン１６は、セレクタ２０に対し表示部２２への入力をテレビチューナ出力からＤＶＤ出力に切り替えるよう指示する（Ｔ２２）。これにより、表示部２２のモニタおよびスピーカには、ＤＶＤ部１４から出力された信号が入力されることになる。
【００４１】
続いて、ＤＶＤ用マイコン３２は、ＤＶＤドライブ３４に対して、ＤＶＤに記録されたデータの再生を指示する（Ｒ４４）。ＤＶＤドライブ３４は、動作状態をアクティブに変更したうえで、装填されているＤＶＤのデータを再生する。再生されたデータは、ＲＡＭ５６に一時的に記憶された後、ＣＰＵ５２でＭＰＥＧデコード処理される。さらに、ビデオエンコーダ４８でＮＴＳＣデジタルビデオ信号にエンコードされ、Ｄ／Ａコンバータ４６でＮＴＳＣアナログビデオ信号に変換された後、テレビ部１２に出力される。
【００４２】
テレビ部１２では、ＤＶＤ部１４から出力された信号が表示部２２に入力されるようにセレクタ２０が切り替えられているため、ＤＶＤの再生信号が表示部２２のモニタおよびスピーカから出力される。これにより、ユーザは、ＤＶＤに記録された映像の鑑賞ができる。なお、鑑賞途中でユーザがリモコン操作することにより、早送りや巻戻し、一時停止などの操作指示を入力すれば、テレビ用マイコン１６は適宜、これら操作指示をＤＶＤ用マイコン３２に送信する。そして、ＤＶＤ用マイコン３２は当該操作指示に応じた制御を実行する。
【００４３】
以上の説明から明らかなように、ＤＶＤへのデータ記録およびデータ再生の際に必要となるテレビ部１２の制御、テレビチューナ１８の電源管理や、チャンネル管理、表示部２２への入力切替などは、全て、ＤＶＤ部１４からの指示に基づいて行われる。したがって、テレビ部１２は、ＤＶＤ部１４からの指示に基づいて制御実行する機能さえ追加すればよく、通常のテレビ受像機とほぼ同様の構成、制御でよいことがわかる。つまり、本実施形態によれば、通常のテレビ受像機を簡易にＤＶＤ一体型テレビに流用できる。そのため、ＤＶＤ一体型テレビをより簡易に、より低価格で提供することができる。
【００４４】
なお、本実施形態では、リモコンから出力された操作指示をテレビ部１２の赤外線センサ２４で受信する構成としているが、当然、ＤＶＤ部で受信するようにしてもよい。その場合、ＤＶＤ用マイコンが、テレビ部１２の操作に関する操作指示を適宜、テレビ部１２に出力するようにする。
【００４５】
また、本実施形態では、単一のテレビチューナを備える構成としているが、図６に示すように複数のテレビチューナ１８ａ，１８ｂを設けてもよい。図６の構成では、二つのテレビチューナのうち、一方（１８ａ）の出力はテレビ部１２の表示部２２（セレクタ２０）に、他方（１８ｂ）の出力はＤＶＤ部１４に入力される。かかる構成とすることで、テレビ部１２でテレビ放送を観賞している状態であっても、当該鑑賞しているチャンネルとは異なるチャンネルのテレビ放送、いわゆる「裏番組」の録画も可能となる。さらに、テレビチューナだけでなく、ＢＳチューナやＣＳチューナなども設けてもよい。その場合は、各チューナとＤＶＤ部との間にセレクタを設け、録画対象チャンネルに応じて適宜、ＤＶＤ部への出力信号を切り替えるようにすればよい。
【００４６】
また、本実施形態では、光ディスク装置として、ＤＶＤへのデータの記録再生が可能な装置を用いているが、当然、他の光ディスク、例えば、ＨＤ−ＤＶＤやＢｌｕ−ｒａｙディスクを取り扱う装置を用いてもよい。
【図面の簡単な説明】
【００４７】
【図１】本発明の実施形態であるＤＶＤ装置一体型テレビの概略構成を示すブロック図である。
【図２】ＤＶＤ部のより詳細な構成を示すブロック図である。
【図３】ＤＶＤ装置一体型テレビでの録画予約でのデータ記録の流れを示すフローチャートである。
【図４】ＤＶＤ装置一体型テレビでの録画予約でのデータ記録の流れを示すフローチャートである。
【図５】ＤＶＤ装置一体型テレビでのＤＶＤ再生の流れを示すフローチャートである。
【図６】他の実施形態であるＤＶＤ装置一体型テレビの概略構成を示すブロック図である。
【符号の説明】
【００４８】
１０  ＤＶＤ装置一体型テレビ、１２  テレビ部、１４  ＤＶＤ部、１６  テレビ用マイコン、１８  テレビチューナ、２０  セレクタ、２２  表示部、２４  赤外線センサ、２６  リモコン、３２  ＤＶＤ用マイコン、３４  ＤＶＤドライブ、４０  ＯＳＤコントローラ、４２  ビデオデコーダ、４８  ビデオエンコーダ。
【図１】
2006134527.tif 000003
【図２】
2006134527.tif 000004
【図３】
2006134527.tif 000005
【図４】
2006134527.tif 000006
【図５】
2006134527.tif 000007
【図６】
2006134527.tif 000008